(57)【特許請求の範囲】
【請求項１】
移動型訓練装置であって、
ａ）フレームの前側カバー上に配置される少なくとも１つのガイド孔を含む直立フレームと、
ｂ）前記直立フレームに固定される少なくとも１つの解放可能なクランプと、
ｃ）前記直立フレームに接続される基部であって、前記基部が、少なくとも１本の前脚および少なくとも１本の後脚を含み、前記後脚が、少なくとも１つのローラーを有する、基部と、
ｄ）前記クランプに解放可能に係合され、かつ前記ガイド孔から延在する、少なくとも１本の弾性ロープであって、前記弾性ロープの端部にフックが取付けられている、弾性ロープと、
ｅ）長さが調節可能な訓練用ベルトであって、前記訓練用ベルトが、前記フックに係合される少なくとも１つのリングを有する、訓練用ベルトと、を備え、
前記弾性ロープによって抵抗力が可変的に提供され、前記弾性ロープが、前記ガイド孔を介して、使用者によって装着される前記訓練用ベルト上の前記リングに係合することによって、前記可変抵抗力が水平成分および垂直成分の両方を有するように、前記使用者が立っている表面に対して角度θになる、移動型訓練装置。
【請求項２】
前記基部が、２本の前脚および２本の後脚を有し、前記後脚のそれぞれが、ローラーを有する、請求項１に記載の移動型訓練装置。
【請求項３】
前記訓練用ベルトが、少なくとも１つの第１のリングおよび少なくとも１つの第２のリングを有し、前記第１のリングおよび前記第２のリングが、前記訓練用ベルト上に離間配置される、請求項１に記載の移動型訓練装置。
【請求項４】
前記直立フレームが、第１のガイド孔および第２のガイド孔を有し、前記第１のガイド孔が、前記第２のガイド孔よりも垂直方向で高い、請求項３に記載の移動型訓練装置。
【請求項５】
前記移動型訓練装置が、第１のフックを有する第１の弾性ロープと、第２のフックを有する第２の弾性ロープと、を備え、前記第１のフックが、前記訓練用ベルト上の前記第１のリングに係合され、前記第２のフックが、前記第２のリングに係合される、請求項４に記載の移動型訓練装置。
【請求項６】
前記直立フレームが、前記第１のガイド孔付近の第１のリングと、前記第２のガイド孔付近の第２のリングと、をさらに備える、請求項４に記載の移動型訓練装置。
【請求項７】
前記弾性ロープの張力を測定するための張力測定手段をさらに備える、請求項１に記載の移動型訓練装置。
【請求項８】
前記直立フレームが、前記基部内に折り畳まれ得る、請求項１に記載の移動型訓練装置。
【請求項９】
前記直立フレームが、前記使用者から離れて傾斜している、請求項１に記載の移動型訓練装置。
【請求項１０】
前記直立フレームが、シャフトおよびアームを介して前記基部と枢動可能に結合される、請求項１に記載の移動型訓練装置。
【請求項１１】
前記クランプが、前記弾性ロープが前記使用者から離れる方向にのみ解放可能に引張され得るように前記弾性ロープに係合する、請求項１に記載の移動型訓練装置。
【請求項１２】
移動型訓練装置であって、
ａ）前側カバー上に配置される少なくとも１つのガイド孔および少なくとも１つの解放可能なクランプを含む直立フレームと、
ｂ）基部およびシャフト上に固定されるアームを介して前記直立フレームと枢動可能に結合される基部であって、前記基部が、少なくとも１本の前脚および少なくとも１本の後脚を含み、前記後脚が、少なくとも１つのローラーを有する、基部と、
ｃ）前記クランプに解放可能に係合され、かつ前記ガイド孔から存在する、少なくとも１本の弾性ロープであって、前記弾性ロープの端部にフックが取付けられている、弾性ロープと、
ｄ）長さが調節可能な訓練用ベルトであって、前記訓練用ベルトが、前記フックに係合される少なくとも１つのリングを有する、訓練用ベルトと、を備え、
前記弾性ロープによって抵抗力が可変的に提供され、前記ロープが、前記ガイド孔を介して、使用者によって装着される前記訓練用ベルト上の前記リングに係合することによって、前記可変抵抗力が水平成分および垂直成分の両方を有するように、前記使用者が立っている表面に対して角度θになる、移動型訓練装置。
【発明の詳細な説明】
【技術分野】
【０００１】
先行する関連出願
該当なし。
【０００２】
連邦支援の研究に関する声明
該当なし。
【０００３】
本発明は、訓練装置に関する。より具体的には、本発明は、容易な設置、使用中の安定性、および抵抗力変動の容易さをもって、２つの異なる軸に同時に抵抗力を提供することができる訓練装置に関する。
【背景技術】
【０００４】
特定のスポーツでは、体重の移動は、訓練の中核と考えられている。例えば、野球のスイング運動では、体重は初めに後脚に移動し、次に前方に移動してエネルギーを生成する。同時に、後足首が膝の裏（back  knee）および臀部に沿った回転を開始し、それが今度は、上半身、肩、および腕を同様に身体の中心を周るように回転させる。このプロセスでは、後脚から発生した上向の力（垂直）および臀部の回転力（水平）が、力強いスイングの鍵であると考えられる。
【０００５】
下半身の力がスイング動作のための力を発生させるテニスおよびゴルフについても同じことが言える。米国特許第８，２１０，９６３号は、ゴルフスイング中のゴルファーの体重の移行を測定し、それを技術的に理にかなったスイングと比較することによって、ゴルフスイングを改善するための装置を提供する。しかしながら、このような装置は、使用者の下半身の力もしくは回転力を訓練または改善しない。
【０００６】
米国特許第８，１８７，１５３号は、使用者の胴体、腕、脚を、コンピュータ制御された抵抗アクチュエータを用いて鍛錬するための鍛錬機械を提供する。しかしながら、このような装置は構造が複雑であり、ひいては高価で、例えばバッティングケージ練習などの現場訓練における設置および使用が容易ではない。
【０００７】
米国特許第８，１６２，８０７号は、身体の特定の部分を動作させるように重量が訓練装置の異なる部分に付加される、典型的な訓練装置を説明する。しかしながら、このような装置は、１つの軸に沿ってしか身体を訓練せず、現場訓練における実用性がない。
【０００８】
米国特許第７，８８７，４６３号は、スキー訓練器具、歩行器具、足踏み器具、楕円訓練器具、および鍛錬用自転車を含む、別の典型的な脚訓練装置を説明する。この種類の装置では、使用者は、それぞれの足のためのキャリアを踏み、抵抗に対して歩くことによって脚を鍛錬する。しかしながら、この種類の装置は、胴体の力、特に回転力に作用しない。
【０００９】
米国特許第７，７７５，９１４号は、バットをスイングするときの野球選手の足の配置にしか対処しない。米国特許第６，７７３，３６６号は、上半身の訓練、特にスイングの間の両腕の相対的配置にしか対処しない。
【００１０】
米国特許第７，７５８，４３６号は、打者およびゴルファーのためのスイングおよび打球訓練補助器具を説明する。これは、打者またはゴルファーが適切なスイングを行うかを指導者が判定するために意図された抵抗型計器である。この装置を使用すると、改善されるとしても少しの筋力しか改善されない。
【００１１】
米国特許第７，６３２，１９２号は、打球技術を改善するための多スポーツ用訓練装置を提供する。しかしながら、装置によって不十分な抵抗が提供される場合があり、このような装置を用いて作業するために特注のバット／クラブ／ラケットが提供されなければならず、非実用的である。
【００１２】
米国特許第７，６２５，３２０号は、臀部の回転を標的とする抵抗型スイング訓練装置を提供する。しかしながら、この装置は大きな設置面積（a  large  footprint）および複雑な構造を有し、これは現場練習のための設置が容易ではない。さらに、この装置は回転に対して水平面にしか抵抗を提供せず、脚からの垂直な力を改善する問題に同時に対処しない。
【００１３】
米国特許第７，４３８，６５３号は、使用者によって装着されたベルトに可撓性ロープが接続される別のスイング訓練装置を説明する。しかしながら、ロープがベルトに接続する位置は固定されておらず、その代わりに摺動式接続であり、これは、摺動式接続はロープからの抵抗を大幅に低減するため、その目的を効果的に無効化する。さらに、何らかの物体にロープを固定することは、ロープの長さが絶えず調節される必要があることを意味し、訓練場周囲でロープを結びつける固定具を見付けるのは常に容易であるとは限らないため、それが基部を提供しないという事実は不都合である。
【００１４】
したがって、臀部の回転および下半身の力を必要とするスポーツの選手を訓練するための装置ならびに方法が依然として必要とされている。現場練習において設置が容易であり、通常のスイングパターンを妨げない装置も必要とされている。
【発明の概要】
【００１５】
本発明は、移動型訓練装置であって、少なくとも１つのガイド孔および少なくとも１つの解放可能なクランプを含む直立フレームと、該直立フレームに接続される基部であって、該基部が、少なくとも１本の前脚および少なくとも１本の後脚を含み、該後脚が、少なくとも１つのローラーを有する、基部と、該フレーム上の該クランプに解放可能に係合され、かつ該ガイド孔から延在する、少なくとも１本の弾性ロープであって、該弾性ロープの端部にフックが取付けられている、弾性ロープと、長さが調節可能な訓練用ベルトであって、該訓練用ベルトが、該フックに係合される少なくとも１つのリングを有する、訓練用ベルトと、を備え、該弾性ロープによって抵抗力が可変的に提供され、該ロープが、該ガイド孔を介して、使用者によって装着される該訓練用ベルト上の該リングと係合することによって、該可変抵抗力が水平成分および垂直成分の両方を有するように、該使用者が立っている表面に対して角度θになる、移動型訓練装置を提供する。
【００１６】
本発明の別の態様では、双方向の抵抗力を生成するための方法であって、引き伸ばされたときに抵抗力を有する２つの弾性手段を提供するステップと、該２つの弾性手段を該使用者の臀部の左側および右側に取付けることによって、該使用者がその胴体を回転させるときに抵抗力を生み出すステップであって、該２つの弾性手段のうちの少なくとも１つが、該使用者が立っている表面に対して角度θになる、ステップと、該使用者の胴体を回転させるステップと、それによって該２つの弾性手段を引き伸ばし、双方向の抵抗力を生み出すステップと、を含む、方法が提供される。
【００１７】
本発明の別の例では、双方向の抵抗力に対して鍛錬するための移動型訓練装置が提供される。本装置は、２つのクランプならびに第１のガイド孔および第２のガイド孔を有する直立フレームであって、該第１のガイド孔が、該第２のガイド孔よりも垂直方向で高い、直立フレームと、該直立フレームに接続される基部と、それぞれがその端部に取付けられたフックを有する第１および第２の弾性ロープであって、該第１および第２のロープが、可変抵抗力のために該クランプに解放可能に係合され、該第１の弾性ロープが、該第１のガイド孔を通過し、該第２の弾性ロープが、該第２のガイド孔を通過する、第１および第２の弾性ロープと、使用者によって装着される訓練用ベルトであって、該訓練用ベルトが、それぞれ該第１および該第２の弾性ロープに取付けられた該フックに係合される、少なくとも１つの第１のリングおよび少なくとも１つの第２のリングを有し、該訓練用ベルトが使用者によって装着されるとき、該第１のリングが該第２のリングの実質的に反対側に配置される、訓練用ベルトと、を備え、該第２のガイド孔と該訓練用ベルト上の該第２のリングとの間の区間内の該第２のロープが、該使用者が立っている表面に対して角度θになる。
【００１８】
一実施形態では、直立フレームは、使用中の本装置の安定性を向上させるために、使用者から離れ
て傾斜している。直立フレームは、垂直から少なくとも５度以上傾斜し得る。一実施形態では、第１および第２のガイド孔は、互いから離れている状態で垂直方向で整列される。別の実施形態では、第１および第２のガイド孔は、垂直方向で整列されない。
【００１９】
一実施形態では、フレームおよび基部は分離しており、例えば、ねじによって共に固定され得る。別の実施形態では、フレームおよび基部は、１つの部品として統合されていてよい。さらに別の実施形態では、フレームおよび基部は、フレームが基部内に折り畳まれ得るように、シャフトを介して結合され得る。
【００２０】
一実施形態では、同様または異なる角度で追加の抵抗力を提供するために、２本以上の弾性ロープがあってよい。この変化に適応するために、対応する数のガイド孔および請求項が提供されてもよい。
【００２１】
一実施形態では、弾性ロープが訓練用ベルト上のリングを通過し、係合手段上のフックに円を描いて戻り、ひいては理論的に２倍の抵抗力を提供することができるように、ガイド孔でまたはその周囲に別の係合手段が提供される。
【００２２】
一実施形態では、基部は、基部が十分な摩擦力を提供し、表面を問わず使用中の移動に抵抗し得るように、地面に接する底部に滑り止め手段を有する。この滑り止め手段は、例えば、静摩擦パッドであり得る。
【００２３】
一実施形態では、基部は、バランスならびに安定性の目的のため、使用者側に２本および反対側に２本の、４本の脚を有する。しかしながら、脚の数および配置は、空間、コスト、または重量などの考察のために変更され得る。一実施形態では、後脚は、本装置を容易に移動させるために取付けられたローラーをさらに有する。
【００２４】
一実施形態では、訓練用ベルトは長さが調節可能であり、使用者の身体の異なる部分に装着され得る。好ましくは、典型的なバットのスイングにおいてほとんどの回転が関係する場所であるため、訓練用ベルトは臀部に装着される。しかしながら、使用者は、快適さの理由のために、身体の他の部分、例えば腰にそれを装着することができる。
【００２５】
一実施形態では、訓練用ベルトは、それぞれ第１および第２のロープに係合されるように訓練用ベルトの反対側に（使用者の左側および右側などのように）配置される、第１のリングおよび第２のリングを有する。別の実施形態では、訓練用ベルトは、異なる臀部外周を考慮して、複数の第１のリングおよび複数の第２のリングを有する。
【００２６】
「１つの（ａ）」または「１つの（ａｎ）」という用語の使用は、請求項または明細書において「備える（ｃｏｍｐｒｉｓｉｎｇ）」という用語と併せて使用されるとき、文脈が別段に指示する場合を除き、１つまたは１つ以上を意味する。
【００２７】
「約（ａｂｏｕｔ）」または「実質的に（ｓｕｂｓｔａｎｔｉａｌｌｙ）」という用語は、測定法が指示されていない場合、表示された値のプラスもしくはマイナス測定の誤差の範囲、またはプラスもしくはマイナス１０％を意味する。
【００２８】
請求項における「または（ｏｒ）」という用語の使用は、代替案のみを意味することが明確に指示される場合、または代替案が相互排他的である場合を除き、「および／または（ａｎｄ／ｏｒ）」を意味するために使用される。
【００２９】
「備える（ｃｏｍｐｒｉｓｅ）」、「有する（ｈａｖｅ）」、「含む（ｉｎｃｌｕｄｅ）」、および「含む（ｃｏｎｔａｉｎ）」という用語（ならびにこれらの変形）は、無制限の連結動詞であり、請求項において使用されるとき、他の要素の追加を認める。
【００３０】
「から成る（ｃｏｎｓｉｓｔｉｎｇ  ｏｆ）」という語句は閉鎖的であり、全ての追加要素を除外する。
【００３１】
「から本質的に成る（ｃｏｎｓｉｓｔｉｎｇ  ｅｓｓｅｎｔｉａｌｌｙ  ｏｆ）」という語句は、追加の材料要素を除外するが、本発明の本質を実質的に変更しない非材料要素の包含を認める。
【図面の簡単な説明】
【００３２】
【図１】本発明の訓練装置の概略図である。
【図２Ａ】弾性ロープの長さを双方向に調節するために本発明において使用されるクランプの図である。
【図２Ｂ】本発明の訓練用ベルトの概略図である。
【図３】準備姿勢で本発明の訓練装置を使用している打者を示す概略図である。
【図４】ガイド孔の異なる構成を示す概略図である。
【図５】スイング姿勢で本発明の訓練装置を使用している打者を示す概略図である。
【図６】本発明の実施形態の変形例を示す概略図である。
【図７】本発明の実施形態の別の変形例を示す概略図である。
【発明を実施するための形態】
【００３３】
図１は、本発明の移動型訓練装置を図示する。図に示す通り、訓練装置１００は、直立フレーム１０１、および基部３０１を備える。直立フレーム１０１は、前側カバー１０８を有し、この上に第１のガイド孔１０３および第２のガイド孔１０５が配置される。好ましくはフレーム１０１内にリールとして格納される第１の弾性ロープ２０１は、第１のガイド孔１０３から延在し、第２の弾性ロープ２０２は、第２のガイド孔１０５から延在する。図２Ａに示す通り、弾性ロープは、フレーム１０１上に搭載されるクランプによって固定される。第１および第２の弾性ロープ２０１、２０２の両方が、それぞれのロープの端部に取付けられたフック２０３、２０４を有する。フック２０３を使用して、訓練用ベルト（図２Ｂに後述する）の上のリングに係合する。しかし、例えばカラビナなどの他の等価の機構を使用してもよい。
【００３４】
直立フレーム１０１は基部３０１に取付けられている。基部３０１は、２本の後脚３０３（この図では１本のみが示されている）および２本の前脚３０５、３０６を有する。「前」という用語は、使用者により近い側を説明するために使用され、「後」は、使用者から離れた側を説明するために使用される。後脚３０３は、本装置をより容易に移動させるためのローラー３０７を好ましくは含み得る。直立フレーム１０１および基部３０１は、好ましくは、使用中に屈曲または変形しないように頑丈で硬質な材料から作製される。前脚および後脚の数ならびにそれらの配列は、本装置が安定的かつ安全な方法で使用され得る限り、他の設計考察に依存して変更され得る。
【００３５】
直立フレーム１０１は垂直に直立していてよいが、好ましい構成では、直立フレーム１０１は使用者から僅かに後方に傾斜しており、これは、傾斜したフレーム１０１はひっくり返ることを困難にするため、このようにすると訓練時間の間に弾性ロープを使用者が繰り返し引張する際に訓練装置１００がよりよい安定性を有するためである。
【００３６】
基部３０１は、好ましくは、本装置が動かないように維持するためにも十分に重い。前脚３０５、３０６は、安定性のため、使用者側および外側の両方に向かって延在し、装置全体が使用者側または側方にひっくり返るのを防止する。前脚はまた、使用者が立つためのより大きな空間を可能にするような角度をなしている。前脚の底部は、より高い安定性を提供するためにそこに取付けられた静摩擦パッドをさらに有し得る。この特徴は、例えば粘土、芝生、コンクリート、または絨毯敷きの床をも含む様々な表面上で、本装置が使用されることを可能にする。
【００３７】
直立フレーム１０１および基部３０１は、より容易な取り扱いおよび輸送、ならびに、例えば、ねじでフレームを基部に固定することによる後の組み立てのために、２つの分離した部品であってよい。固定後、使用者は、初めに前脚３０５を持ち上げることによって単純に本装置を移動させ、本装置をローラー３０７で転がすことができる。
【００３８】
前脚３０５、３０６は、必ずしも２本の分離した脚である必要はない。摩擦を提供し、本装置を静止した状態に保持し、本装置が使用中にひっくり返ることを防止する機能を果たす限り、他の構成が可能である。例えば、前脚は１点のＺ形型構造体であってよい。他の等価の設計は当業者にとって明らかなはずである。後脚３０３についても同じことが言えるが、ただし、使用者が本装置を容易に移動させることができるようにローラー３０７が配置されるべきであることをさらに条件とする。
【００３９】
図２Ａに示す通り、直立フレーム１０１の上または内部に、解放可能なクランプ１１１、１１２、１１３、１１４が、弾性ロープ２０１を固定する。帆船の縄を抑えるために使用される種類、ロッククライミングにおいて使用される種類などの解放可能なクランプが、弾性ロープの端部を固定するために使用される。解放可能なクランプは、船に使用される際はカムクリートとして、そしてロッククライミングにおいて使用される際はアセンダーとして知られる。特定の弾性ロープによって生成される抵抗の量は、ロープがクランプ内に係合されているときにそれを引き上げることによって、迅速かつ容易に増加される。クランプは、ロープが引き伸ばされた後にそれを掴む。言い換えると、本発明において使用される場合、弾性ロープは、使用者から離れる方向にのみ解放可能に引張され得る。使用者がそれを引張しようとするとき（または以下に記載の通り使用者がその臀部を回転させるとき）、クランプはロープを掴み、クランプからロープがさらに摺動するのを止める。したがって、使用者が得ることのできる唯一の運動は弾性ロープを引き伸ばすことによるものであり、これが次に抵抗力を生成する。
【００４０】
使用者が抵抗の量を低減させようとするとき、弾性ロープをクランプから解放し、所望の抵抗力（または所望の長さ）が達成されるときにクランプ内に押し戻すことができる。記載した種類のクランプを使用してロープを本装置に固定し、ロープによって生成される抵抗力の量を調節することが好ましいが、ロープを本装置に固定するための他の手段を使用してもよい。
【００４１】
好ましい実施形態では、主にクランプに依存してロープの抵抗力を調節するが、以下に記載の通り、ロープの数を増加することで同じ効果を達成することができる。
【００４２】
ロープによって生成される抵抗力は、使用者が訓練時間を開始する前、または特定の訓練の実施中に調節され得る。一般的な規則として、弾性ロープが長く引き伸ばされるほど、抵抗力は高くなる。好ましくは、使用者が鍛錬を開始する前に、弾性ロープが本装置から訓練用ベルトまで張り詰めて延在するように移動型訓練装置からの使用者自身の相対的距離を変更することによって、ロープの長さを調節することができる。このようにすると、使用者がその臀部を回転させるとき、弾性ロープが引き伸ばされ、ひいては抵抗力を発揮する。
【００４３】
あるいは、調節可能なクランプを使用している場合、使用者が鍛錬を行っている間に、指導者がロープを僅かに引き上げることによって、抵抗力を若干調節することができる。図２Ａに示す通り、クランプが弾性ロープに係合する方法により、クランプがロープを咬んで適所に保持するため、弾性ロープは、反対方向ではなく、矢印が示した通りにしか引き上げられ得ない。これは、ロープの長さ、ひいては抵抗力の容易な調節を確かにする。
【００４４】
ロープをより引張することによりロープの長さを調節することによって、抵抗力のより大きな増加を達成することができる。クランプは、弾性ロープの長さを短くする。ロープによって生成される抵抗力の量を調節する容易さのため、使用者は、鍛錬を行いながら調節を行うことができる。または、訓練用ベルト上のリングを介して弾性ロープを引張し、直立フレーム上のリングに円を描いて戻すことによって、抵抗力を容易に２倍にすることができる。ロープを調節するための手段はまた、鍛錬を行いながら抵抗力の量を容易に減少させることを可能にする。したがって、使用者は抵抗力を継続的に増加させて、鍛錬のルーチン中により熱心に取り組むこと、または、鍛錬の運動を停止することなく、抵抗力による疲労を減少させることができる。
【００４５】
本発明の訓練用ベルト４０１を示す図２Ｂを参照する。訓練用ベルト４０１は、少なくとも１つの第１のリング４０２、４０３、４０４、および少なくとも１つの第２のリング４１２、４１３、４１４を有する。好ましい実施形態では、３つ以上の第１のリングおよび３つ以上の第２のリングが、訓練用ベルト４０１上にある。訓練用ベルト４０１の長さは、使用者の身体の部分、好ましくは臀部にしっかりと適合するように、締め金（図示せず）を介して調節され得る。第１のリング４０２、４０３、４０４、および第２のリング４１２、４１３、４１４は、使用者が訓練用ベルトをその臀部周囲に装着すると、第１のリングが身体の一方の側（例えば、左側）にあり、第２のリングが身体の他方の側（右側）にあるように配置される。右利きの人にとって、これは、第１のリングが訓練装置から離れており、第２のリングが訓練装置により近いことを意味する。第１の弾性ロープ２０１のフック２０３は、第１のリング４０２、４０３、４０４のうちの１つに係合し、第２の弾性ロープ２０２のフック２０４は、第２のリング４１２、４１３、４１４のうちの１つに係合する。複数のリングは、異なる腰周りの使用者が、配置を調節する必要なく同じベルトを使用することを容易にする。一実施形態では、使用者は、鍛錬の間中ずっと抵抗力が発揮され得るように、フックを１つのリングに係合することができる。別の実施形態では、使用者は、鍛錬の一部のみに抵抗力が発揮されるように、フックを１つのリングに係合することができる。
【００４６】
好ましい実施形態では、使用者が右のフックを身体の正しい側のリングに容易に接続することができるように、フックおよびリングは色合せされている。
【００４７】
別の好ましい実施形態では、使用者がどのくらいの抵抗力に対して訓練するかを決定することができるように、張力測定用具（図示せず）、例えば吊り下げ式秤量計が、弾性ロープ２０１、２０２のそれぞれの上に提供される。
【００４８】
野球打者が準備姿勢で本発明の訓練装置を使用している図３を参照する。この例の打者は右利きであるが、以下にさらに図示する通り、本発明の装置は左利きの人の訓練に等しく効率的である。この時点で、第１の弾性ロープ２０１は、打者の臀部の左側（打者の視点から）に配置された第１のリングに接続されている。このようにすると、打者がその身体を回転させるとき第１の弾性ロープ２０１が引き伸ばされるため、抵抗力を適切に発揮するために、第１の弾性ロープは打者の後ろではなく前を通るべきである。第１の弾性ロープが身体の後ろを通る場合、打者がその臀部を回転させるとき一切の張力がなくなる。第２の弾性ロープ２０２は、打者の臀部の右側に配置された第２のリングに接続されている。好ましくはこの時点で、準備姿勢においてある程度のロープの張力が維持されるように、第１および第２の弾性ロープの長さが調節される。言い換えると、ロープは好ましくは、それらがガイド孔からリングまでゆるく吊り下がらず張り詰めて延在するように調節される。
【００４９】
この設定では、第２の弾性ロープ２０２は、使用者が立っている表面に対して角度θであり、一方で第１の弾性ロープは、地面に対して実質的に平行である。以下に説明する通り、この双方向設計は、先例のない結果を訓練プロセスにもたらす。
【００５０】
使用者が左利きの場合、使用者は上記の構成を単純に反転することができる。例えば、第２の弾性ロープ２０２のフック２０４は、今や訓練用ベルト４０１上の第１のリング４０２、４０３、４０４に係合することができ、第１のリングは今や左利きの人のための訓練装置１００により近くなる。同様に、第１の弾性ロープ２０１のフック２０３は、今や使用者の前を通って、使用者の右側にあり移動型訓練装置１００から離れている第２のリング４１２、４１３、４１４に係合することができる。したがって、左利きの人も本発明の移動型訓練装置を使用することができる。
【００５１】
打者がスイング動作を完了していることを示す図５を参照する。スイング中に打者の臀部が回転すると、第１の弾性ロープ２０１が引き伸ばされて抵抗力Ｆ１を発揮し、第２の弾性ロープ２０２も引き伸ばされて抵抗力Ｆ２を発揮する。上述の通り、第１の弾性ロープ２０１は水平に実質的に平行であり、したがってＦ１は主にＸ成分を有する。第２の弾性ロープ２０２は、使用者が立っている水平面に対して角度θであり、これは、Ｆ２が、Ｙ成分としてのＦ２×ｓｉｎθと、Ｘ成分としてのＦ２×ｃｏｓθとを有することを意味する。言い換えると、打者は、スイングをしているとき、水平抵抗力としての（Ｆ１＋Ｆ２ｃｏｓθ）と、垂直抵抗力としてのＦ２ｓｉｎθとに対して鍛錬する。水平抵抗力は、それに対して打者が臀部の回転を用いて鍛錬するものであり、一方で垂直抵抗力は、それに対して打者が下半身を用いて鍛錬するものである。
【００５２】
垂直成分は、本装置を使用してテニス選手を訓練するとき、さらにより重要である。テニスのフォアハンドの一般的見解は、選手が同時に臀部を回転させながら、ボールに圧力をかけることと上向に押すこととの両方をしなければならないことである。この例では、力Ｆ１は、回転抵抗を提供し、一方で力Ｆ２の垂直成分は、同時に効果的に訓練するための上向抵抗を提供する。選手が臀部を回転させながら上向に跳躍することが必要であるテニスのサーブについても同じことが言える。
【００５３】
ここで、ガイド孔の異なる構成を図示する図４を参照する。このような構成の目的は、第２の弾性ロープ２０２と地面との間の角度θを調節し、Ｆ２ｓｉｎθの垂直成分をそれに応じて容易に変更することができることである。この図では、ガイド開口部１０７は魚の骨のような形状を有し、各分岐１０７ａ、１０７ｂ、１０７ｃは異なる高度に配置され、したがって使用者は、第２の弾性ロープ２０２、またはさらに第１の弾性ロープ２０１の開始の高さを容易に変更することができる。
【００５４】
ここで、抵抗力を容易に２倍にするための本発明の装置の別の変形例を示す図６を参照する。この図では、第１のリング１１１が、第１のガイド孔１０３付近の直立フレーム１０１上に提供されており、第２のリング１１３も、第２のガイド開口部１０５付近の直立フレーム１０１上に提供されている。第２のガイド孔１０５を出る第２の弾性ロープ２０２は、訓練用ベルト４０１上の第２のリング４１２を通過し、次に第２のガイド孔１０５付近に戻り、ここで第２のフック２０４が第２のリング１１３を係合する。これで、第２のガイド孔１０５／第２のリング１１３と、訓練用ベルトの第２のリング４１２との間に、効果的に２本の弾性ロープ２０２があるため、この方向の抵抗力が２倍になる。抵抗力を容易に２倍にするための第１のロープ２０１についても同じことが言える。
【００５５】
ここで、本発明の訓練装置の別の変形例を示す図７Ａ〜Ｃを参照する。図７Ａ〜Ｂは側面透視図であり、一方で図７Ｃは正面透視図を示す。図７Ａでは、直立フレーム１０１は、シャフト３２０の直径を受容するような大きさのシャフト搭載部３２１および３２３内の開口部を介して延在するシャフト３２０で、基部３０１と枢動可能に結合されている。シャフト搭載部３２１および３２３は、基部３０１に固定されている。したがって、直立フレーム１０１は、より容易な搬送および／または輸送ならびに取り扱いのために、図７Ｂに示す実質的に平坦な構成までシャフト３２０を中心にして下に回転することができる。当業者には理解できるように、シャフト３２０およびアーム３２０は、直立右フレーム１０１が、図７Ａおよび７Ｂに示す位置の間でしか回転することができず、そして好ましくはこれらの位置に解放可能に保持されるように、止め具（図示せず）を有するように設計され得る。図７Ｃは、シャフト３２０およびシャフトを保持する２本のアーム３２１、３２３を有する訓練装置の正面透視図を示す。訓練装置が円滑かつ安全な方法で回転され得る限り、シャフトおよびアームの数は制限されないことに留意されたい。
【００５６】
本発明の他の特徴は、訓練中の打者の身体を安定させることである。第１および第２の弾性ロープの両方を同じ垂直面上に整列された状態に保つことによって、打者は、その体重を後脚から前脚に移動させながら、身体の中心を安定した状態に維持することができる。１本の弾性ロープしかない場合、または２本の弾性ロープが垂直方向で整列されていない場合、打者が身体の中心を安定した状態に維持することはより困難になる。打者は、スイングする際に飛んでくる野球の球に注目してその速度および可能な経路を判断する必要があり、安定した身体はそうするための主要素であるため、これは重要である。垂直方向で整列された第１および第２のガイド孔は、スイング中の打者の中心線を安定した状態に保つ。
【００５７】
本発明の移動型訓練装置は、ゴルフスイングを訓練するためにも使用され得る。典型的なゴルフスイングも、後足からの体重の移動および臀部の回転を必要とする。本発明の移動性は、例えばゴルフ練習場などの異なる場所で訓練をする可能性を使用者に与える。
【００５８】
本発明の移動型訓練装置は、回転力および上向の下半身の力の両方を同時に鍛錬するための双方向の抵抗力を訓練者に提供する。移動型の特徴はまた、訓練装置が容易に搬送され、様々な表面および訓練目的で設置されることを可能にする。抵抗力はまた、異なる訓練計画のために容易に調節され得る。
【図１】
0005925395.tif 000002
【図２Ａ】
0005925395.tif 000003
【図２Ｂ】
0005925395.tif 000004
【図３】
0005925395.tif 000005
【図４】
0005925395.tif 000006
【図５】
0005925395.tif 000007
【図６】
0005925395.tif 000008
【図７Ａ】
0005925395.tif 000009
【図７Ｂ】
0005925395.tif 000010
【図７Ｃ】
0005925395.tif 000011